(57)【特許請求の範囲】
【請求項１】
複数の成型ブレードを備える固定金型と複数の成型ブレードを備える移動金型とを使用し、前記移動金型を前記固定金型に接近、離脱するように仮想移動直線に沿って移動させることにより、熱可塑性高分子シートの外周縁から離間した位置に、前記シートの厚み方向に伸縮可能な伸縮領域を賦形する賦形方法であって、
前記複数の成型ブレードは、前記シートへの投影断面形状が相似形の曲線および屈曲線の少なくともいずれか一方が相似の中心を囲んで並ぶ形状であり、かつ、互いに接触せずに交互に噛み合うように前記固定金型および前記移動金型のそれぞれから前記仮想移動直線に沿う方向に伸び出しており、
前記固定金型は、前記成型ブレードの先端が並ぶ領域の外周領域において、前記仮想移動直線に直交する外周押圧面を有する外周フレームを備え、前記成型ブレードの先端で囲まれた中央領域において、中央フレームを備え、
前記移動金型は、前記成型ブレードの先端が並ぶ領域の外周領域において、前記仮想移動直線に直交する外周押圧面を有する外周フレームを備え、前記成型ブレードの先端で囲まれた中央領域において、中央フレームを備えるとともに、前記外周フレームおよび中央フレームは前記仮想移動直線に沿って前記成型ブレードに対して移動可能なように構成してあり、
前記固定金型と前記移動金型との間に前記シートを導入する導入工程と、
前記固定金型と前記移動金型との前記成型ブレードを噛み合わせ隣接する成型ブレードの先端の間で前記シートを延伸させる延伸工程とを含み、
前記導入工程の後、前記移動金型の前記成型ブレードの先端を、前記外周押圧面に対して突出しない位置から、前記外周押圧面を超えるように前記移動金型の前記外周フレームを前記仮想移動直線に沿って移動させることによって、前記外周領域および中央領域において、前記シートをその厚み方向に押圧しながら前記成型ブレードの先端が並ぶ領域で前記シートに伸縮可能な領域を形成し、
前記延伸工程では、前記成型ブレードを噛み合わせた状態を、前記シートの融点より低く室温より高い温度で、所定時間維持することを特徴とする賦形方法。
【請求項２】
前記移動金型の前記外周フレームは、前記固定金型の前記外周フレームへ向けてバネ付勢され、
前記移動金型の前記中央フレームは、前記固定金型の前記中央フレームへ向けてバネ付勢され、
前記延伸工程において、前記移動金型を前記仮想移動直線に沿って前記固定金型に接近するように移動させるとともに、前記移動金型の前記中央フレームを前記固定金型の前記中央フレームに当接させることによって、前記移動金型の前記外周フレームを前記固定金型の前記外周フレームに当接させ、さらに前記バネ付勢に抗して前記移動金型を移動させる請求項１に記載の賦形方法。
【請求項３】
前記複数の成型ブレードを噛み合わせたとき、その噛み合い深さが連続的に変化する部分が設けられている請求項１又は２に記載の賦形方法。
【発明の詳細な説明】
【技術分野】
【０００１】
この発明は、熱可塑性高分子シートに、その厚み方向に伸縮可能な伸縮領域を賦形する方法に関する。
【背景技術】
【０００２】
特許文献１に、体液吸収性物品の透液性表面シートであり、シート面の所要の部位にシート面の上下方向へ伸縮可能な領域を有し、この領域はその周縁から中央部へ向かって波状に起伏して回帰線状に延びる多数の褶襞部で形成されているシートが開示されている。特許文献１によれば、伸縮可能な領域では、細かい多数のギャザーが生じることがないので、着用者に違和感を与えることがない。また、このシートを使い捨てのおむつに用いた場合、大便を受容可能な凹部が形成される。
【特許文献１】特開２０００−３４２６２５号公報（請求項１、段落００１７〜００１９）
【発明の開示】
【発明が解決しようとする課題】
【０００３】
特許文献１の伸縮可能な領域は、シートにギア加工を施して賦形することが可能である。しかし、ギヤ加工で深絞り加工を行うと、ギヤどうしが干渉していわゆるカジリが生じたり、シートの破れが発生したりするという問題がある。
本発明は、このような従来の問題が生じることのない、シートの厚み方向に伸縮可能な伸縮領域を形成する賦形方法を提供することを目的とする。
【課題を解決するための手段】
【０００４】
本発明の賦形方法は、複数の成型ブレードを備える固定金型と複数の成型ブレードを備える移動金型とを使用し、前記移動金型を前記固定金型に接近、離脱するように仮想移動直線に沿って移動させることにより、熱可塑性高分子シートの外周縁から離間した位置に、前記シートの厚み方向に伸縮可能な伸縮領域を賦形する賦形方法であって、前記複数の成型ブレードは、前記シートへの投影断面形状が相似形の曲線および屈曲線の少なくともいずれか一方が相似の中心を囲んで並ぶ形状であり、かつ、互いに接触せずに交互に噛み合うように前記固定金型および前記移動金型のそれぞれから前記仮想移動直線に沿う方向に伸び出しており、前記固定金型は、前記成型ブレードの先端が並ぶ領域の外周領域において、前記仮想移動直線に直交する外周押圧面を有する外周フレームを備え、前記成型ブレードの先端で囲まれた中央領域において、中央フレームを備え、前記移動金型は、前記成型ブレードの先端が並ぶ領域の外周領域において、前記仮想移動直線に直交する外周押圧面を有する外周フレームを備え、前記成型ブレードの先端で囲まれた中央領域において、中央フレームを備えるとともに、前記外周フレームおよび中央フレームは前記仮想移動直線に沿って前記成型ブレードに対して移動可能なように構成してあり、前記固定金型と前記移動金型との間に前記シートを導入する導入工程と、前記固定金型と前記移動金型との前記成型ブレードを噛み合わせ隣接する成型ブレードの先端の間で前記シートを延伸させる延伸工程とを含み、前記導入工程の後、前記移動金型の前記成型ブレードの先端を、前記外周押圧面に対して突出しない位置から、前記外周押圧面を超えるように前記移動金型の前記外周フレームを前記仮想移動直線に沿って移動させることによって、前記外周領域および中央領域において、前記シートをその厚み方向に押圧しながら前記成型ブレードの先端が並ぶ領域で前記シートに伸縮可能な領域を形成し、前記延伸工程では、前記成型ブレードを噛み合わせた状態を、前記シートの融点より低く室温（ＪＩＳ  Ｋ  ６９００、１５〜３５℃のことをいう）より高い温度で、所定時間維持することを特徴とする。
【０００５】
ここで、本発明でいう曲線および屈曲線には、閉曲線(始点と終点の無い曲線および／または屈曲線)と、閉曲線の一部が欠損した形状（始点と終点の有る曲線および／または屈曲線）の両者を含む。
【０００６】
本発明の賦形方法では、前記移動金型の前記外周フレームは、前記固定金型の前記外周フレームへ向けてバネ付勢され、前記移動金型の前記中央フレームは、前記固定金型の前記中央フレームへ向けてバネ付勢され、前記延伸工程において、前記移動金型を前記仮想移動直線に沿って前記固定金型に接近するように移動させるとともに、前記移動金型の前記中央フレームを前記固定金型の前記中央フレームに当接させることによって、前記移動金型の前記外周フレームを前記固定金型の前記外周フレームに当接させ、さらに前記バネ付勢に抗して前記移動金型を移動させる。さらに、複数の成型ブレードの噛み合い深さが連続的に変化する部分を設けて賦形することもできる。
【発明の効果】
【０００８】
本発明の賦形方法では、複数の成型ブレードを噛み合わせて伸縮領域を賦形する方法なので、ギヤどうしが干渉することがない。また、成型ブレードの噛み合い深さを調整してシートを延伸することにより、シートが破れることを防止できる。
【０００９】
成型ブレードを噛み合わせた状態を加熱下で、あるいは加熱せずに所定時間維持すれば、より容易に伸縮領域を賦形することができる。成型ブレードの先端が並ぶ領域の外周領域と、中央領域との少なくともいずれか一方をシートの厚み方向に押圧すれば、成型ブレードを噛み合わせたときシートが成型ブレードの間に引き込まれることを防止できる。
【００１０】
また、複数の成型ブレードの噛み合い深さを連続的に変化する部分が設けられていれば、賦形された伸縮領域をシートの厚み方向に伸びださせたときの形状を調整することができる。さらに、複数の成型ブレードの投影断面形状が前述の閉曲線の一部が欠損した形状の場合、この形状の始点と終点の部分の噛み合い深さを浅くすることで、この部分でのシートの破れを防止できる。
【発明を実施するための最良の形態】
【００１１】
本発明の第１の実施形態として、複数の成型ブレード２が同心円に配列された賦形装置１を用いて、熱可塑性高分子シート１０（以下シート１０と記す）に伸縮領域１１を賦形する賦形方法について図１〜図５を参照して説明する。図１は賦形装置１を開放して表す斜視図、図２は固定金型５と移動金型６を対向させて表す図１のＩＩ−ＩＩ線断面図である。
【００１２】
図１に示すように、賦形装置１は、固定金型５と移動金型６とで構成される。また、固定金型５と移動金型６はそれぞれ、同心円状に配列された複数の成型ブレード２を備える。すなわち、成型ブレード２はシート１０への投影断面形状が閉曲線となるよう配列されている。また、賦形装置１は一対の外周フレーム２１と一対の中央フレーム２３とを備える。賦形装置１が使用されるときは、図２に示すように移動金型６は固定金型５に対向し、図示しないアクチュエータによって仮想移動直線８に沿って移動されて固定金型５に接近、離脱する。賦形時には、仮想移動直線８はシート１０の厚み方向に一致する。
【００１３】
図２に示すように、成型ブレード２は仮想移動直線８に並行に伸び、固定金型５および移動金型６のそれぞれの台座９，９に立設される。移動金型６を仮想移動直線８に沿って固定金型５に接近させたとき、固定金型５と移動金型６の複数の成型ブレード２は、互いに接触することなく交互に噛み合うように配列されている(図３，４参照)。また、固定金型５の成型ブレード２の先端３および移動金型６の成型ブレード２の先端３は、それぞれ仮想移動直線８に直交する同一平面内にある。
隣接する成型ブレード２間の距離は、成型ブレード２を形成する板の厚みより大きい。これにより、移動金型６、固定金型５の各成型ブレード２を交互に噛み合わせたとき、互いに接触させることなく嵌入する。
【００１４】
さらに、移動金型６および固定金型５が互いに向き合う対向面７のそれぞれに、成型ブレード２の先端３が並ぶ領域の外周領域にあって、仮想移動直線８に直交する外周押圧面２０を有する一対の矩形の外周フレーム２１と、成型ブレード２の先端３で囲まれた中央領域にあって、仮想移動直線８に直交する中央押圧面２２を有する一対の円形の中央フレーム２３とが設けられている。移動金型６と固定金型５の成型ブレード２が噛み合わされていないとき、成型ブレード２の先端３は外周押圧面２０および中央押圧面２２に対し突出しない位置にある。なお、外周フレーム２１と中央フレーム２３は、台座９とともに基盤４１に取り付けられている。
【００１５】
図２の例では、移動金型６に設けられた外周フレーム２１と中央フレーム２３が、固定金型５に設けられた外周フレーム２１と中央フレーム２３に向けてバネ付勢され、外周押圧面２０どうし、および中央押圧面２２どうしが密着可能である。これに代えて、固定金型５に設けられた外周フレーム２１と中央フレーム２３を、移動金型６に向けてバネ付勢する構成、あるいは、固定金型５と移動金型６に設けられた外周フレーム２１と中央フレーム２３の両方を相手方に向けてバネ付勢する構成にすることができる。
【００１６】
また、外周フレーム２１と中央フレーム２３の形状は図示した例に限定されず、例えば外周フレーム２１を環状にする等、伸縮領域１１の外郭形状に応じて適宜変更することができる。あるいは、中央フレーム２３を用いないこともできる。
成型ブレード２の先端３に対し、外周押圧面２０が突出する構成にすれば、後述するように、成型ブレード２を噛み合わせたときシート１０が成型ブレード２の間に引きずり込まれ、成型不良となることを防止できるので好ましい。
【００１７】
次に図２〜図５を参照して、シート１０がフィルムである場合について、伸縮領域１１を形成する工程を説明する。図２は固定金型５と移動金型６の間にシート１０を導入した導入工程における状態、図３は固定金型５と移動金型６の外周フレーム２１，２１の間にシート１０が押圧された状態、図４は成型ブレード２が噛み合ってシート１０に伸縮領域１１が形成される延伸工程における状態を表す模式図である。また、図５は図４の一部を拡大した模式図である。なお、以下の説明では、移動金型６が仮想移動直線８に沿って移動し、固定金型５に対し接近、離間するものとする。
【００１８】
導入工程では、図２に示すように、固定金型５と移動金型６との間にシート１０を導入する。
次に、移動金型６を固定金型５に向け移動させると、図３に示すように、固定金型５と移動金型６の外周フレーム２１，２１の外周押圧面２０，２０により、成型ブレード２の先端３が並ぶ領域の外周領域において、シート１０が押圧される。この結果、シート１０が仮想移動直線８に直交する方向にズレ動くことが抑制され、シート１０の所定の位置に伸縮領域１１を形成することができる。
【００１９】
引き続き移動金型６を移動させると、図４に示すように、成型ブレード２が交互に噛み合う。このとき、シート１０は外周押圧面２０，２０間と中央押圧面２２，２２間に圧力下に挟持され、仮想移動直線８に直交する方向への移動が抑制される。この結果、成型ブレード２が交互に噛み合うとき、シート１０が成型ブレード２間の隙間に押し込まれることは無く、図５に拡大して摸式的に示すように、シート１０は隣接する成型ブレード２の先端３の間で延伸され、高延伸部１３と低延伸部１４とが交互に生じる。これにより、伸縮領域１１が賦形される。
【００２０】
このとき、成型ブレード２を噛み合わせた状態を所定時間維持することが好ましい。噛み合わせた状態を維持する時間は、賦形された伸縮領域１１の形状を見て適宜決めることができる。また、成型ブレード２を噛み合わせた状態を、熱可塑性高分子の融点より低く、室温より高い温度で、所定時間維持すれば、より容易に伸縮領域１１を賦形することができる。この温度は通常、熱可塑性高分子の融点より２０〜３０℃低い範囲であり、荷重たわみ温度（ＪＩＳ  Ｋ  ７１９１−２）やビカット軟化温度（ＪＩＳ  Ｋ  ７２０６）等の、熱可塑性高分子の熱変形温度を参考に、賦形された伸縮領域１１の形状を見て適宜決めることができる。
【００２１】
このようにして伸縮領域１１が賦形されたシート１０の外観斜視図を図６に、その断面形状を図７に摸式的に示す。図６、図７に示すように、この実施形態では、波状の起伏が同心円状に繰り返す伸縮領域１１を有するシート１０が得られる。伸縮領域１１において、波状の起伏の頂点に沿って環状に伸びる領域は、成型ブレード２の先端３に圧接していた低延伸部１４であり、波状の起伏の斜面に沿う帯状の領域は、成型ブレード２の先端３の間で延伸された高延伸部１３である。低延伸部１４は延伸率が相対的に低いため、図７に示すように、相対的に肉厚である。一方、高延伸部１３は、シート１０が引き伸ばされたことにより薄肉になっており、低延伸部１４と比較して変形し易い。
【００２２】
伸縮領域１１では高延伸部１３と低延伸部１４とが交互に並んでいる。この伸縮領域１１に、シート１０の厚み方向に力を加えると、変形しやすい各高延伸部１３が加えられた力の方向に向き、低延伸部１４はこの高延伸部１３の動きに追随する。この結果、図７に仮想線で示すように、伸縮領域１１はシート１０の厚み方向に円錐状に伸び出し、シート面に対し凹となる空間１５を形成する。このような伸縮領域１１を有するシート１０を使い捨ておむつに適用した場合、この空間１５に大便を収容させることができる。
【００２３】
以上説明したように、本実施形態に係る賦形方法では、熱可塑性高分子が延伸可能な範囲内でシート１０に伸縮領域を賦形するので、シート１０に破れを発生させることは無い。
また、シート１０に、別体の部材を取り付けることなく空間１５を形成可能な伸縮領域１１を賦形できることから、大便を収容可能なおむつの製造にこのシート１０を用いれば、製造工程短縮等の合理化が図れる。
【００２４】
ここまでは、シート１０として、フィルムを用いる場合を例に説明したが、これに代えて、熱可塑性高分子の繊維から成る不織布を用いることができる。スパンボンド法、またはメルトブローン法の不織布を用いる場合には、高延伸部１３で繊維間の熱融着点が外れることにより、低延伸部１４と比較して変形し易くなる。
【００２５】
また、熱可塑性エラストマ製のフィルム、または熱可塑性エラストマ製の繊維から成る不織布等の、伸縮性を有するシート１０を用いることができる。さらに、伸縮性の無いシート１０と伸縮性を有するシート１０との積層シート、あるいは、種類の異なる伸縮性の無いシート１０の積層シート等の積層シートを用いることもできる。熱可塑性高分子にはポリオレフィン系、ポリエステル系、ポリアミド系等が例示され、熱可塑性エラストマにはポリウレタン系、ポリエステル系のブロック共重合体の熱可塑性エラストマが例示される。
【００２６】
ここで、本発明の伸縮領域１１における高延伸部１３と低延伸部１４の形状は、同心円に限定されない。図８に本発明の伸縮領域１１の形状となる、仮想移動直線８に直交する平面への成型ブレード２の投影断面形状を例示した。より詳しくは、複数で相似形の閉じた曲線および／または屈曲線が相似の中心に関し点対称で同心となる場合（図８（ａ））、複数で相似形の閉じた曲線および／または屈曲線が相似の中心を通る直線に関し対称で同心となる場合（図８（ｂ））がある。あるいは、複数で相似形の閉じた曲線および／または屈曲線が、互いに交差しない範囲で、相似の中心がずれた状態で相似の中心を囲む形状（図８（ｃ））であってもよい。さらに、同様にして、複数で相似形の閉曲線の一部が欠損した形状が相似の中心を囲む場合（図８（ｄ）〜（ｆ））がある。
【００２７】
第２の実施形態として、相似形の閉曲線の一部が欠損した複数の形状が、相似の中心を囲む形状の高延伸部１３と低延伸部１４とが交互に並ぶ伸縮領域１１を形成する例を、図９〜１８を参照して説明する。図９はこの実施形態で用いる固定金型５の斜視図、図１０は図９のＸ−Ｘ線断面図、図１１は移動金型６と固定金型５を噛み合わせたときの成型ブレード２の噛み合い状態を表す模式図である。また、図１２は伸縮領域１１が賦形されたシート１０の斜視図、図１３は伸縮領域１１の断面を摸式的に表す図である。
【００２８】
以下の説明では、閉曲線の一部が欠損した形状が、長方形の一辺が欠損した形状（以下半矩形と呼ぶ）であり、相似形で複数の半矩形の形状が、相似の中心を共有して並ぶ形状となるように配列された成型ブレード２を有する賦形装置１を用い、シート１０はフィルムであるものとして説明する。
【００２９】
図９に、賦形装置１の一部を構成する固定金型５を示した。固定金型５は、複数の成型ブレード２が相似形の半矩形である点を除き第１実施形態と同様であり、外周フレーム２１と、一対の中央フレーム２３とを備える。なお、この実施形態の移動金型６は、外周フレーム２１と央フレーム２３が固定金型５に向けバネ付勢可能に構成されている点を除き固定金型５と同様であるので、図示は省略する。以下、第１実施形態と重複する事項は簡略化して説明する。
【００３０】
図１０に示すように、成型ブレード２の先端３は、外周フレーム２１の外周押圧面２０および中央フレーム２３の中央押圧面２２に対し突出しない位置にある。なお、固定金型５の成型ブレード２は仮想移動直線８に並行に伸び、移動金型６の成型ブレード２に接触することなく交互に噛み合うように配列されている。
【００３１】
本実施形態の投影断面形状が半矩形となる成型ブレード２を噛み合わせたときの状態を、平面に展開して摸式的に図１１に示す。図１１では、固定金型５側の成型ブレード２ａを実線で、移動金型６側の成型ブレード２ｂを破線で示している。図１１に示すように、成型ブレード２ａ，２ｂを噛み合わせたとき、その先端３ａ，３ｂは、中央部２４では互いに平行である。
【００３２】
一方、中央部２４の両側の部分では、中央部２４から両端部２５に向かうに従い、成型ブレード２ａ，２ｂの噛み合い深さ４が連続的に変化して、次第に浅くなる。これにより、成型ブレード２ａ，２ｂでシート１０に伸縮領域１１を形成するとき、成型ブレード２ａ，２ｂの両端部２５の角でシート１０が破れることを防止できる。なお、シート１０の破れを防止するため、成型ブレード２ａ，２ｂの両端部２５は角が丸い形状であることが好ましい。
【００３３】
このような成型ブレード２を有する賦形装置１の移動金型６と固定金型５の間にシート１０を導入し、成型ブレード２を交互に噛み合わせて隣接する成型ブレード２の先端３の間でシート１０を延伸することにより、第１実施形態(図２〜図５参照)と同様にして伸縮領域１１を形成することができる。図１２に示すように、本実施形態で形成される伸縮領域１１は、互いに相似形の半矩形が、相似の中心を囲んで交互に並ぶ外観形状となる。
【００３４】
図１２のＸＩＩＩ−ＸＩＩＩ線で切断した伸縮領域１１の断面を図１３に摸式的に示す。伸縮領域１１のうち、成型ブレード２の中央部２４で延伸された中央領域２６では波状の起伏が繰り返す断面形状を呈し、均一な幅の高延伸部１３が複数並行に伸びている。これに対し、中央領域２６の両側にある両端領域２７では、成型ブレード２の噛み合い深さ４が次第に浅くなるため、成型ブレード２の噛み合いにより形成される高延伸部１３は、中央領域２６から離間するに従い幅が狭くなる。このため、伸縮領域１１がシート１０の厚み方向に伸び出したとき、シート面に対し三角柱状となって凹む空間１５を形成する。
このように、成型ブレード２の投影断面形状や噛み合い深さ４を変更することにより、種々の形状の空間１５となる伸縮領域１１を形成することができる。
【００３５】
次に、図１４〜図１８を参照して、第１の実施形態に係る賦形装置１を用いて、連続的に供給されるシート１０に伸縮領域１１を形成する製造装置５０と、これを用いた製造方法について説明する。図１４は、賦形装置１を備える製造装置５０の斜視図、図１５は製造装置５０を側面から見た賦形装置１の動作を説明するための摸式図、図１６〜図１８は製造装置５０における賦形装置１の動作の制御を説明するための図である。
【００３６】
製造装置５０は、水平なベース５１と、ベース５１から垂直に起立する一対の支柱５２とを有し、一対の支柱５２には回転ドラム３１が水平方向に伸びる主軸５３により支持されている。回転ドラム３１は仮想線で示す回転軸Mに平行な周面３０を有する。周面３０には、仮想線で示すシート１０が、一対の導入用ニップロール５４に導かれて当接し、一対の導出用ニップロール５５に導かれて離脱する。なお、図１４では、一方（図上手前側）の支柱５２をベース５１から外した状態で図示している。
【００３７】
また、回転ドラム３１の周面３０に正対可能な複数の周回ヘッド３２が、回転ドラム３１の径方向外側に等間隔に配置されている。周回ヘッド３２は回転軸Ｍを中心にして、回転ドラム３１とともに矢印Ｄで示すシート１０の供給方向へ回転する。周回ヘッド３２はアーム部５６を有し、アーム部５６は回転軸Ｍに直行する方向に伸びる支軸５７（図１４に図示せず）を介して回転ドラム３１に回動可能に取り付けられている(図１５参照)。周回ヘッド３２は、支軸５７に取り付けられた周回ヘッド駆動手段 （図示せず）により、周面３０に正対する位置から支軸５７を中心に旋回して周面３０から離間し、回転ドラム３１の外方の全開位置へ移動可能に構成されている。周回ヘッド３２の全開位置は、回転ドラム３１とともに回転したときシート１０と干渉しない位置に設定される。なお、周回ヘッド駆動手段には、サーボモータ等の公知の駆動手段を用いることができる。
【００３８】
回転ドラム３１の周面３０には、賦形装置１の一部である固定金型５が複数配列され、成型ブレード２の先端３や外周押圧面２０等が露出する。また、各周回ヘッド３２には、移動金型６が、周面３０に配列された固定金型５に正対可能な位置に取り付けられている。移動金型６と固定金型５は第１実施形態で説明した物と同一であり、図１５に示すように、仮想移動直線８が回転ドラム３１の径方向に一致し、固定金型５および移動金型６の成型ブレード２が交互に噛み合うように取り付けられている。
【００３９】
また、周回ヘッド３２には、移動金型６を仮想移動直線８に沿って往復動させて成型ブレード２を交互に噛み合わせる金型駆動手段３４が設けられている。なお、金型駆動手段３４には、サーボモータ、油圧シリンダ等の公知のアクチュエータを用いることができる。また、移動金型６を周面３０に、固定金型５を周回ヘッド３２に設け、金型駆動手段３４により固定金型５を往復動させてもよい。
【００４０】
導入用ニップロール５４と導出用ニップロール５５はそれぞれ、シート１０の供給方向上流側と下流側に設けられる。また、導入用ニップロール５４と導出用ニップロール５５は回転軸Ｍと平行な方向に伸び、回転軸Ｍより垂直方向下方に設けられている。シート１０は、一対の導入用ニップロール５４に導かれて回転ドラム３１の周面３０に設けられた固定金型５に当接して、図上反時計回りに移動する途中で固定金型５と移動金型６の成型ブレード２が噛み合わされたとき、隣接する成型ブレード２の先端３の間で延伸されることで伸縮領域１１が賦形された後、一対の導出用ニップロール５５に導かれて周面３０、別言すれば固定金型５から離脱する。
【００４１】
次に、回転ドラム３１に取り付けられた賦形装置１の移動金型６の動作制御について説明する。ここでは、図１６に示すように、任意の一組の固定金型５と移動金型６が回転ドラム３１の最上点にある位置を０°とし、反時計回りに３６０°回る位置座標系に基づいて説明する。なお、回転ドラムの位置、や成型ブレード２の噛合量の検出等と、周回ヘッド駆動手段３３および金型駆動手段３４の動作制御は図示しない制御装置により行なわれる。
【００４２】
図１７、図１８に示すように、０°の位置では一組の金型５，６を完全に閉じ、成型ブレード２の噛合量を目標値、すなわちシート１０を延伸するために必要な量とする。一組の金型５，６が０°から９０°の位置まで回る途中で、先ず金型駆動手段３４により噛合量を目標値からゼロとして移動金型６を開放可能な状態にし、次に周回ヘッド駆動手段３３により移動金型６（周回ヘッド３２）を全開位置まで旋回させる。なお、周回ヘッド３２がシート１０と干渉しないよう、周回ヘッド３２が導出用ニップロール５５のある位置（図１６参照）まで回転する前に全開位置とする。
【００４３】
一組の金型５，６が１８０°の位置を超えてさらに回転し、導入用ニップロール５４のある位置（図１６参照）を通過し、シート１０が周面３０に当接したら、移動金型６を閉じ始め、２７０°を超えてから全閉とし、シート１０を一組の金型５，６の間に挟持させる。次いで、金型駆動手段３４を起動し、３６０°、すなわち０°の位置で移動金型６の成型ブレード２の噛合量（噛み合い深さ４）を目標値とする。固定金型５と移動金型６の成型ブレード２のカジリを防止するためには、このように、成型ブレード２の噛合量を０°の位置で最大にすることが好ましい。
【００４４】
以上のサイクルを繰り返すことにより、製造装置５０を用いて伸縮領域１１を有するシート１０を連続的に製造することができる。なお、以上の説明中、位置座標系における一組の固定金型５と移動金型６の位置は例示であり、これに限定されるものではない。
【図面の簡単な説明】
【００４５】
【図１】賦形装置を開放して表す斜視図。
【図２】固定金型と移動金型の間にシートを導入したときの模式図。
【図３】外周フレームの間にシートが挟持されたときの模式図。
【図４】成型ブレードによりシートに伸縮領域が形成されるときの模式図。
【図５】図４の一部を拡大した模式図。
【図６】伸縮領域が賦形されたシートの外観斜視図。
【図７】伸縮領域が賦形されたシートの断面形状を表す摸式図。
【図８】成型ブレードの投影断面形状を例示する図。
【図９】第２の実施形態の固定金型の斜視図。
【図１０】図９のＸ−Ｘ線断面図。
【図１１】第２の実施形態の成型ブレードの噛み合い状態を表す模式図。
【図１２】第２の実施形態のシートの外観斜視図。
【図１３】第２の実施形態のシートの伸縮領域の断面形状を表す摸式図。
【図１４】賦形装置を備える製造装置の斜視図。
【図１５】製造装置の動作を説明するための摸式図。
【図１６】製造装置の動作の制御の説明図。
【図１７】製造装置の動作の制御の説明図。
【図１８】製造装置の動作の制御の説明図。
【符号の説明】
【００４６】
２    成型ブレード
３    成型ブレードの先端
４    噛み合い深さ
５    固定金型
６    移動金型
８    仮想移動直線（シートの厚み方向）
１０  熱可塑性高分子シート
１１  伸縮領域
１２  外周縁
【図１】
0005055140.tif 000002
【図２】
0005055140.tif 000003
【図３】
0005055140.tif 000004
【図４】
0005055140.tif 000005
【図５】
0005055140.tif 000006
【図６】
0005055140.tif 000007
【図７】
0005055140.tif 000008
【図８】
0005055140.tif 000009
【図９】
0005055140.tif 000010
【図１０】
0005055140.tif 000011
【図１１】
0005055140.tif 000012
【図１２】
0005055140.tif 000013
【図１３】
0005055140.tif 000014
【図１４】
0005055140.tif 000015
【図１５】
0005055140.tif 000016
【図１６】
0005055140.tif 000017
【図１７】
0005055140.tif 000018
【図１８】
0005055140.tif 000019